(57)【要約】【課題】住宅の価値低下を防止するための住宅監視システムを提供する。【解決手段】判定部２２は、今回検出結果を転送された時刻と前回の時刻の差、つまり、検出結果が転送されてこなかった期間の長さが所定の長さ（例えば、２４時間、４８時間）以上か否かを判定する。このような場合、住人１０が倒れ、意識がないケースや、意識はあるが動けないケースや、死亡しているケースが考えられる。通知部２３は、検出結果が受信されなかった期間の長さが前記所定の長さ（例えば、２４時間、４８時間）以上であると判定されたなら、データベースから電子メールアドレスなどを読みだし、そのアドレス宛に電子メールによる通知を送信する。【選択図】図２
2017142710.tif 000002
【特許請求の範囲】
【請求項１】
住宅に設けられるとともに前記住宅の住人を検出するセンサと、前記住宅の外部に設けられるセンササーバとを備える住宅監視システムであって、
前記センササーバは、
前記センサが前記住人を検出したことを示す検出結果を、前記住宅に設けられた通信装置から受信する受信部と、
前記検出結果が受信されなかった期間の長さが所定の長さ以上か否かを判定する判定部と、
前記検出結果が受信されなかった期間の長さが前記所定の長さ以上であると判定されたなら、予め設定された通知先に通知を行う通知部と
を備えることを特徴とする住宅監視システム。
【請求項２】
前記センサは、前記住人により定常的に使用される使用物が使用されたことを検出するセンサである
ことを特徴とする請求項１記載の住宅監視システム。
【発明の詳細な説明】
【技術分野】
【０００１】
本発明は、住宅の価値低下を防止するための住宅監視システムに関する。
【背景技術】
【０００２】
従来において、独居の高齢者や病人などを遠隔で監視する様々なサービスが提供されている。
【先行技術文献】
【非特許文献】
【０００３】
【非特許文献１】「ＣＳＰのシニア向け見守りサービス」、［ｏｎｌｉｎｅ］、［平成２８年１月２９日検索］、インターネット＜ＵＲＬ：http://www.we-are-csp.co.jp/personal/happiness/tabid/366/Default.aspx＞
【発明の概要】
【発明が解決しようとする課題】
【０００４】
上記サービスは、独居の高齢者などの「人」を見守ることを目的としている。例えば、一部のサービスでは監視対象の住人がアラームを発信するようになっているが、住人が急病などで倒れた場合は、アラームを発信することは難しい。
【０００５】
その一方で、例えば、独居の高齢者などが、その住宅でお亡くなりになると、住宅の価値が低下する場合がある。例えば、死後の放置期間が長いと、その分だけ住宅が傷み、価値が大きく低下する。
【０００６】
本発明は、上記事情に鑑みなされたもので、住宅の価値低下を防止するための住宅監視システムを提供することを目的とする。
【課題を解決するための手段】
【０００７】
上記課題を解決するために、本発明の住宅監視システムは、住宅に設けられるとともに前記住宅の住人を検出するセンサと、前記住宅の外部に設けられるセンササーバとを備える住宅監視システムであって、前記センササーバは、前記センサが前記住人を検出したことを示す検出結果を、前記住宅に設けられた通信装置から受信する受信部と、前記検出結果が受信されなかった期間の長さが所定の長さ以上か否かを判定する判定部と、前記検出結果が受信されなかった期間の長さが前記所定の長さ以上であると判定されたなら、予め設定された通知先に通知を行う通知部とを備えることを特徴とする。
【発明の効果】
【０００８】
本発明によれば、住宅の価値低下を防止するための住宅監視システムを提供することができる。
【図面の簡単な説明】
【０００９】
【図１】本実施の形態の住宅監視システムの一例を示すシステム構成図である。
【図２】住宅監視システムの動作を示すフローチャートである。
【発明を実施するための形態】
【００１０】
以下、本発明の実施の形態について図面を参照して説明する。
【００１１】
図１は、本実施の形態の住宅監視システムの一例を示すシステム構成図である。
【００１２】
例えば、高齢者などの住人１０が住む住宅１１には、センサ１が設けられている。センサ１は、例えば、トイレのドアなどに設けられた開閉センサである。つまり、住人１０が定常的に使用する使用物に設けられる。センサ１は、壁や天井に設けられた人感センサでもよい。
【００１３】
住宅１１には、例えば、Ｗｉ−ＦｉゲートウェイとＷｉ−Ｆｉルータが設けられ、インターネット回線を介しての通信が行えるようになっている。
【００１４】
例えば、住宅１１の遠隔地に設けられたセンササーバ２は、センサ１による検出結果をＷｉ−Ｆｉルータから受信する受信部２１と、検出結果が受信されなかった期間の長さが所定の長さ以上か否かを判定する判定部２２と、検出結果が受信されなかった期間の長さが前記所定の長さ以上であると判定されたなら、予め設定された通知先に通知を行う通知部２３とを備える。
【００１５】
センササーバ２は、例えば、通知先を示す電子メールアドレスなどを記憶したデータベースも備える。
【００１６】
図１の親族は、住人１０の親族であり、電子メールを受信可能な端末（図示せず）を有している。また、図１の管理会社は、住宅１１を管理する会社であり、電子メールを受信可能な端末（図示せず）を有している。
【００１７】
図２は、住宅監視システムの動作を示すフローチャートである。
【００１８】
センサ１である開閉センサは、トイレのドアなどが開閉されたことを検出すると、開閉されたことを示す検出結果をＷｉ−Ｆｉゲートウェイに送信する。または、センサ１である人感センサは、住人１０の存在を検出すると、その旨の検出結果をＷｉ−Ｆｉゲートウェイに送信する。
【００１９】
Ｗｉ−Ｆｉゲートウェイは、検出結果をＷｉ−Ｆｉルータに送信する。Ｗｉ−Ｆｉルータは、検出結果をインターネット回線を介して、センササーバ２に送信する。
【００２０】
センササーバ２の受信部２１は、検出結果を受信し、判定部２２に転送する。
【００２１】
判定部２２は、今回検出結果を転送された時刻と前回の時刻の差、つまり、検出結果が転送されてこなかった期間の長さが所定の長さ（例えば、２４時間、４８時間）以上か否かを判定する。
【００２２】
このような場合、住人１０が倒れ、意識がないケースや、意識はあるが動けないケースや、死亡しているケースが考えられる。
【００２３】
通知部２３は、検出結果が受信されなかった期間の長さが前記所定の長さ（例えば、２４時間、４８時間）以上であると判定されたなら、データベースから電子メールアドレスなどを読みだし、そのアドレス宛に電子メールによる通知を送信する。
【００２４】
例えば、通知部２３は、住人１０の親族の端末と管理会社の端末に電子メールを送信する。
【００２５】
これにより、親族や管理会社は、例えば、住人１０が住む住宅１１に赴くことができる。仮に住人１０が嘔吐などして住宅１１を汚してしまった場合であっても、迅速に清掃を行い、住宅の価値低下を防ぐことができる。また、不運にも住人１０が死亡した場合であっても、死後の放置期間を短くでき、住宅の価値低下を防ぐことができる。
【００２６】
また、住宅１１に赴くことで、住人１０が怪我や病気の場合には、助けることができる。住人１０を助けることで、死亡原因による住宅の価値低下を防ぐことができる。
【００２７】
以上のように、本実施の形態の住宅監視システムは、住宅１１に設けられるとともに住宅１１の住人１０を検出するセンサ１と、住宅１１の外部に設けられるセンササーバ２とを備え、センササーバ２は、センサ１が住人１０を検出したことを示す検出結果を、住宅１１に設けられた通信装置（上記例では、Ｗｉ−Ｆｉルータ）から受信する受信部２１と、検出結果が受信されなかった期間の長さが所定の長さ以上か否かを判定する判定部２２と、検出結果が受信されなかった期間の長さが前記所定の長さ以上であると判定されたなら、予め設定された通知先に通知を行う通知部２３とを備えるので、住宅１１の価値低下を防ぐことができる。
【００２８】
また、センサ１として、住人１０により定常的に使用される使用物が使用されたことを検出するセンサ（上記例では開閉センサ）を使用することで、人感センサのように、住人１０を直接検出しなくてもよいという効果が得られる。
【００２９】
なお、本実施の形態では電子メールで通知を行ったが、通知は例えば、電話などで行ってもよい。例えば、通知部２３が、「お宅から２４時間以上、反応がありません。」のような音声を自動で送信すればよい。すなわち、通知方法はどのようなものでもよい。
【００３０】
また、本実施の形態ではセンサを開閉センサや人感センサとしたが、他のセンサを用いてもよい。例えば、電気や水道やガスの使用の有無を検出するセンサを使用してもよい。また、廊下などに、住人の体重を検出するセンサを設けてもよい。すなわち、センサーはどのようなものでもよい。
【００３１】
また、本実施の形態では、住宅にＷｉ−ＦｉゲートウェイとＷｉ−Ｆｉルータが設けられ、インターネット回線を介してセンササーバ２と通信可能となっているが、通信環境は、これに限定するものでなく、例えば、住宅には中継器などがあってもよい。また、モデムと電話回線を介して、センサ１とセンササーバ２が通信可能となっていてもよい。または、例えば、専用回線を介して、センサ１とセンササーバ２が通信可能となっていてもよい。また、インターネット回線は、プロバイダ回線からアクセスするものであってもよい。すなわち、通信環境はどのようなものでもよい。
【符号の説明】
【００３２】
１  センサ
２  センササーバ
２１  受信部
２２  判定部
２３  通知部
【図１】
2017142710.tif 000003
【図２】
2017142710.tif 000004